(57)【要約】      （修正有）【課題】表示態様の多様化を図ることが可能な腕時計型報知装置を提供する。【解決手段】腕時計型報知装置１は、１又は複数の指針１３ａ、１３ｂを用いて時刻を表示する第１表示部１３と、時刻以外の情報を表示する第２表示部１０と、イベントの発生を報知する報知情報を表示させるように第２表示部１０を制御する制御部と、を備える。【選択図】図１
2017167054.tif 000002
【特許請求の範囲】
【請求項１】
１又は複数の指針を用いて時刻を表示する第１表示部と、
時刻以外の情報を表示する第２表示部と、
イベントの発生を報知する報知情報を表示させるように前記第２表示部を制御する制御部と、
を備えることを特徴とする腕時計型報知装置。
【請求項２】
前記制御部は、前記第２表示部が有する表示領域において、前記報知情報が表示される位置を、前記イベントの種類に応じて決定する、
ことを特徴とする請求項１に記載の腕時計型報知装置。
【請求項３】
前記制御部は、前記第２表示部が有する表示領域において、前記報知情報が表示される位置を、前記イベントの発生元に応じた速度で変化させる、
ことを特徴とする請求項１または２に記載の腕時計型報知装置。
【請求項４】
前記第２表示部が前記報知情報を表示する前に、前記第２表示部が前記報知情報を表示することを通知する事前通知部を備える、
ことを特徴とする請求項１乃至３のうちいずれか１項に記載の腕時計型報知装置。
【請求項５】
前記イベントは、電話の着信及びメールの受信のいずれかを含む、
ことを特徴とする請求項１乃至４のうちいずれか１項に記載の腕時計型報知装置。
【請求項６】
外部機器と通信を行う通信部を備え、
前記イベントは、前記外部機器に対する電話の着信及びメールの受信のいずれかを含む、
ことを特徴とする請求項１乃至４のうちいずれか１項に記載の腕時計型報知装置。
【請求項７】
前記第２表示部は、表示パネルを含む、
ことを特徴とする請求項１乃至６のうちいずれか１項に記載の腕時計型報知装置。
【請求項８】
前記第２表示部は、複数の光源を含む、
ことを特徴とする請求項１乃至６のうちいずれか１項に記載の腕時計型報知装置。
【発明の詳細な説明】
【技術分野】
【０００１】
本発明は、腕時計型報知装置に関する。
【背景技術】
【０００２】
従来、指針により時刻等を表示するアナログ表示式の腕時計では、外観上の美しさや伝統的なデザインによって正統な雰囲気を醸し出すことから、ビジネスシーンやフォーマルシーンなどのシチュエーションでは好んで使われる傾向にある。さらに、アナログ表示式の機能的な面では、指針の位置や動きによって、指針の現在の位置やその変化している様子が瞬時に理解できることから、その後の指針の位置や動きを予測しやすく、表示情報をイメージで速読できる点にある。
【０００３】
近年では、通信機能などが設けられるなど腕時計の多機能化が進み、アナログ表示式においても、その表示情報量を増大させる必要がある。アナログ表示式の時計においてアラーム等の報知を指針の位置で表示する技術として、例えば、特許文献１に開示されたものがある。この特許文献１に記載された腕時計では、指針の回転速度或いは回転方向の少なくともどちらかを変更して報知を行う手段により、アラーム時刻の到来や、他の通信機器における着信などの報知を行う。
【先行技術文献】
【特許文献】
【０００４】
【特許文献１】特開２０１１−０２１９２９号公報
【発明の概要】
【発明が解決しようとする課題】
【０００５】
しかしながら、上記特許文献１に開示された技術では、単に指針の回転速度或いは回転方向を変更することにより情報を報知するものであることから、表現できる情報のバリエーションが乏しいという問題がある。例えば、特許文献１の時計では、指針の回転速度の変化等によりアラーム時刻になったことを認識できるが、報知できる情報が限定的である。
【０００６】
本発明は、上述した事情に鑑みてなされたものであり、表示態様の多様化を図ることが可能な腕時計型報知装置を提供することを解決課題とする。
【課題を解決するための手段】
【０００７】
以上の課題を解決するため、本発明に係る腕時計型報知装置は、１又は複数の指針を用いて時刻を表示する第１表示部と、時刻以外の情報を表示する第２表示部と、イベントの発生を報知する報知情報を表示させるように前記第２表示部を制御する制御部と、を備えることを特徴とする。
【０００８】
この発明によれば、時刻を表示する第１表示部の他に、イベントの発生を報知するための報知情報を表示する第２表示部を有する。このため、単に指針の回転速度の変化等により報知情報を表示する場合と比較して、表示可能な情報量を多くすることができる。これにより、腕時計型報知装置の利用者は、発生したイベントの詳細を容易に把握することが可能となる。
【０００９】
また、上述した腕時計型報知装置において、前記制御部は、前記第２表示部が有する表示領域において、前記報知情報が表示される位置を、前記イベントの種類に応じて決定する、ことを特徴とすることが好ましい。この態様によれば、腕時計型報知装置の利用者が、イベントの発生のみならず、イベントの種類を容易に把握することが可能となる。
【００１０】
また、上述した腕時計型報知装置において、前記制御部は、前記第２表示部が有する表示領域において、前記報知情報が表示される位置を、前記イベントの発生元に応じた速度で変化させる、ことを特徴とすることが好ましい。この態様によれば、腕時計型報知装置の利用者が、イベントの発生のみならず、イベントの発生元を容易に把握することが可能となる。
【００１１】
また、上述した腕時計型報知装置は、前記第２表示部が前記報知情報を表示する前に、前記第２表示部が前記報知情報を表示することを通知する事前通知部を備える、ことを特徴とすることが好ましい。この態様によれば、腕時計型報知装置の利用者が、イベントの発生を、より確実に把握することができる。
【００１２】
また、上述した腕時計型報知装置において、前記イベントは、電話の着信及びメールの受信を含む、ことを特徴とすることが好ましい。この態様によれば、腕時計型報知装置の利用者が、腕時計型報知装置により、電話の着信及びメールの受信を知ることが可能となる。
【００１３】
また、上述した腕時計型報知装置は、外部機器と通信を行う通信部を備え、前記イベントは、前記外部機器に対する電話の着信及びメールの受信を含む、ことを特徴とすることが好ましい。この態様によれば、腕時計型報知装置の利用者が、腕時計型報知装置により、外部機器に対する電話の着信及びメールの受信を知ることが可能となる。
【００１４】
また、上述した腕時計型報知装置において、前記第２表示部は、表示パネルを含む、ことを特徴とすることが好ましい。この態様によれば、表示パネルにより、多様な情報を表示することが可能となる。
また、上述した腕時計型報知装置において、前記第２表示部は、複数の光源を含む、ことを特徴としてもよい。
【図面の簡単な説明】
【００１５】
【図１】本発明の第１実施形態に係る腕時計型報知装置１の外観の一例を示す図。
【図２】腕時計型報知装置１の構成の一例を示すブロック図。
【図３】報知処理を説明するための説明図。
【図４】報知処理を説明するための説明図。
【図５】報知処理の流れの一例を説明するためのフローチャート。
【図６】第２実施形態に係る腕時計型報知装置１Ａの構成の一例を示すブロック図。
【図７】ＦＩＦＯを説明するための説明図。
【図８】ＬＩＦＯを説明するための説明図。
【図９】第３実施形態に係るバッファーへの情報の格納を説明するための説明図。
【図１０】変形例４に係る腕時計型報知装置１の外観の一例を示す図。
【図１１】変形例５に係る腕時計型報知装置１Ｂの外観の一例を示す図。
【図１２】変形例６に係る腕時計型報知装置１Ｃの外観の一例を示す図。
【発明を実施するための形態】
【００１６】
図面に基づいて、本発明の実施の形態について詳細に説明する。なお、以下の説明においては、同一の機能及び作用を示す部材については、同一の符号を付し、説明を省略する。
【００１７】
［第１の実施形態］
（腕時計型報知装置１の構成）
本実施形態に係る腕時計型報知装置の概要について、図１を参照して説明する。
【００１８】
図１は、本実施形態に係る腕時計型報知装置１の平面図の一例である。
図１に示すように、腕時計型報知装置１は、円筒状の外装ケース１４と、外装ケース１４の内側に設けられたダイヤルリング１６と、ダイヤルリング１６の内側に設けられた文字盤１１と、文字盤１１が有する円盤形状の開口１１aを介して視認可能なように設けられた表示パネル１０と、外装ケース１４の表面側の開口を塞ぐように設けられたカバーガラス（図示省略）と、ダイヤルリング１６の内側において、表示パネル１０及びカバーガラスの間に設けられ、指針軸１２を中心に回転する複数の指針１３と、を備える。なお、この図において、表示パネル１０のうち、開口１１aを介して視認される部分（表示領域）の形状は円盤状であるが、表示パネル１０自体の形状は、円盤状であってもよいし、矩形であってもよい。外装ケース１４は平面視で矩形形状であってもよい。
【００１９】
本実施形態では、腕時計型報知装置１が、複数の指針１３として、時間を表示する時針１３ａと、分を表示する分針１３ｂと、秒を表示する秒針１３ｃと、を具備する。但し、腕時計型報知装置１は、複数の指針１３として、少なくとも、時針１３ａと分針１３ｂとを具備していればよい。なお、腕時計型報知装置１に設けられた複数の指針１３は、時刻を表示する第１表示部に該当する。
【００２０】
また、腕時計型報知装置１は、図１に示すように、外装ケース１４の外側に設けられた、竜頭１７aと操作ボタン１７b及び１７cとを備える。以下では、竜頭１７aと操作ボタン１７b及び１７cとを、操作部１７と称する。なお竜頭と操作ボタンを備えていなくても、タッチパネルを操作部として用いてもよい。
【００２１】
本実施形態に係る腕時計型報知装置１は、各種イベントが発生したことを報知する機能を有する。具体的には、腕時計型報知装置１は、図１に示すように、イベントが発生した場合に、当該イベントの発生を報知するためのマークＭkを、表示パネル１０に表示することで、イベントが発生したことを報知する。すなわち、本実施形態において、マークＭkは、イベントの発生を報知する報知情報に該当し、マークＭkが表示される表示パネル１０は、時刻以外の情報を表示する第２表示部に該当する。
【００２２】
なお、詳細は後述するが、本実施形態では、イベントとして、腕時計型報知装置１の利用者の有するスマートフォンや携帯電話機等の外部機器に対する電話の着信と、当該外部機器に対するメールの受信と、当該外部機器に対するＳＮＳ（social networking service）によるメッセージの受信といった、３種類のイベントを想定する。但し、本実施形態で想定するイベントは例示であり、その他の種類のイベント、例えば、腕時計型報知装置１の利用者が設定したアラーム時刻の到来等であってもよいし、外部機器のバッテリー使用可能時間が所定の時間を下回ったこと等であってもよい。
【００２３】
表示パネル１０は、表示パネル１０の表示領域を含む領域に設けられた複数の画素（図示省略）と、当該複数の画素を駆動するための駆動回路（図示省略）と、を含んで構成される。本実施形態では、表示パネル１０が、各画素に設けられる電気光学素子として液晶素子を採用した液晶表示パネルである場合を想定する。但し、本発明はこのような態様に限定されるものではなく、表示パネル１０は、有機ＥＬ素子を各画素の電気光学素子として採用した有機ＥＬパネルであってもよいし、液体に分散された粒子を含むマイクロカプセルを用いた電気泳動素子を各画素の電気光学素子として採用した電気泳動表示パネルであってもよいし、その他の種類のパネルであってもよい。
【００２４】
図２は、腕時計型報知装置１の構成の一例を示すブロック図である。この図に示すように、腕時計型報知装置１は、上述した表示パネル１０、指針１３、及び、操作部１７に加えて、外部機器と通信するための通信部１５０と、各指針１３を回転駆動するためのモーター１１０と、各指針１３の位置を特定するための指針位置特定部１２０と、腕時計型報知装置１の各部を制御する制御ユニット１００と、を備える。
【００２５】
通信部１５０は、外部機器と無線通信を実行する。具体的には、通信部１５０は、例えば、送受信アンテナと、受信した無線信号を電気信号に変換する受信回路と、電気信号を無線信号に変換する送信回路と、を備える。そして、通信部１５０は、例えば、Ｗｉ−Ｆｉ（登録商標）等の無線通信規格、Ｂｌｕｅｔｏｏｔｈ（登録商標）及びＺｉｇＢｅｅ（登録商標；ＩＥＥＥ８０２．１５．４）等の近距離無線通信規格等によって、外部機器と無線通信を実行する。但し、本発明はこのような態様に限定されるわけではなく、通信部１５０は、外部機器と有線による通信を実行するものであってもよい。
【００２６】
なお、本実施形態において、外部機器は、当該外部機器に対する電話の着信等のイベントが発生すると、発生したイベントに関するイベント通知情報Ｅvを、通信部１５０に対して送信する機能を有している場合を想定する。
【００２７】
指針位置特定部１２０は、例えば、エンコーダーを備え、モーター１１０の回転速度、回転位置、及び、回転方向等を検出することで、各指針１３の位置を特定し、当該特定結果を示す信号を出力する。エンコーダーを用いない方法として、指針を回転させる歯車に孔を設け、この孔に対応する箇所に発光素子と受光素子を配置して、指針ステップカウンターを用いて針位置特定部を構成してもよい。
【００２８】
制御ユニット１００は、腕時計型報知装置１の各部を制御するＣＰＵ（Central Processing Unit）１０３と、ＣＰＵ１０３が各種処理を行う際の作業領域として各種データを一時的に記憶するＲＡＭ（Random Access Memory）１０１と、制御プログラム等の各種プログラムや各種パラメータ等のデータを記憶するフラッシュメモリー１０２と、モーター１１０の駆動を制御するための信号を出力するモーター制御回路１０５と、表示パネル１０を制御するための信号を出力するパネル制御回路１０６と、一定の周波数の基準クロック信号を生成する発振回路１０４と、インターフェース１４０と、を備える。
【００２９】
インターフェース１４０は、腕時計型報知装置１の利用者が操作部１７を操作した場合等に、操作部１７から伝達される圧力等の機械的な信号を電気的な信号に変換してＣＰＵ１０３等に供給する。また、インターフェース１４０は、指針位置特定部１２０から出力される信号を、ＣＰＵ１０３の処理に適した形式の信号に変換（例えば、ＡＤ変換）し、ＣＰＵ１０３に対して供給する。
モーター制御回路１０５は、ＣＰＵ１０３による制御の下、指針１３が現在時刻を表示するようにモーター１１０を駆動するための信号を、モーター１１０に対して供給する。
パネル制御回路１０６は、ＣＰＵ１０３から出力されるデジタルの画像データＶdに基づいて、表示パネル１０に設けられた各画素が表示すべき階調を規定するアナログの画像信号Ｖidを出力する。
【００３０】
本実施形態において、イベント通知情報Ｅvは、種別情報Ｅv1と、発生元情報Ｅv2と、重要度情報Ｅv3と、を含む。
ここで、種別情報Ｅv1とは、イベントの種類を示す情報である。上述のとおり、本実施形態では、イベントの種類として、電話の着信、メールの受信、及び、ＳＮＳメッセージの受信の３種類を想定する。
また、発生元情報Ｅv2とは、イベントの発生元の種類を示す情報である。本実施形態において、イベントの発生元とは、電話の発信元、メールの送信元、及び、ＳＮＳメッセージの送信元の総称である。また、本実施形態では、イベントの発生元の種類として、家族、友人、及び、職場の同僚の３種類を想定する。但し、発生元情報Ｅv2は、父、母、妻等のように、個人を特定する情報であってもよい。
また、重要度情報Ｅv3とは、イベントの重要度を示す情報である。本実施形態では、イベントの重要度が、重要度が高い、重要度が中程度、及び、重要度が低い、という３段階に分類される場合を想定する。なお、イベントの重要度は、腕時計型報知装置１の利用者が外部機器において設定してもよいし、腕時計型報知装置１の利用者が操作部１７を用いて設定してもよいし、イベントの種類と発生元の種類とに応じて予め定められたものであってもよい。
【００３１】
ＣＰＵ１０３は、フラッシュメモリー１０２に記憶されている制御プログラムを実行することで、イベント通知情報Ｅvに基づいて、表示パネル１０を制御するための画像データＶdを生成する。これにより、ＣＰＵ１０３は、表示パネル１０において、イベントに応じた態様でマークＭkが表示されるように、パネル制御回路１０６を介して、表示パネル１０を制御する、制御部として機能する。
【００３２】
具体的には、本実施形態において、ＣＰＵ１０３は、表示パネル１０の表示領域において、以下のような態様でマークＭkが表示されるように、画像データＶdを生成する。
すなわち、ＣＰＵ１０３は、まず、図３に示すように、表示パネル１０の表示領域のうち、種別情報Ｅv1に応じた位置を基準位置Ｐbとして定め、当該基準位置ＰbにマークＭkが表示されるように、表示パネル１０を制御する。なお、図３では、基準位置Ｐbが、指針軸１２から見て３時の方向にある位置である場合を例示している。
次に、ＣＰＵ１０３は、図４に示すように、基準位置Ｐbを中心に、マークＭkを往復運動させるように、表示パネル１０を制御する。具体的には、ＣＰＵ１０３は、基準位置Ｐbを中心として、発生元情報Ｅv2に応じた速度で、重要度情報Ｅv3に応じた範囲において、マークＭkが往復運動するように、表示パネル１０を制御する。なお、図４では、マークＭkが、基準位置Ｐbである３時の位置を中心に、指針軸１２を中心とする円弧上を、±３０度の範囲（２時から４時の範囲）で往復運動する場合を例示している。
【００３３】
なお、本実施形態において、フラッシュメモリー１０２は、制御プログラムの他に、種別情報Ｅv1の示すイベントの種類毎に割り当てられた基準位置Ｐbと、発生元情報Ｅv2の示すイベントの発生元の種類毎に割り当てられたマークＭkの移動速度と、重要度情報Ｅv3の示すイベントの重要度毎に割り当てられたマークＭkの移動範囲と、を示す表示設定情報を記憶しているものとする。
【００３４】
また、本実施形態において、腕時計型報知装置１は、表示パネル１０におけるマークＭkの表示を、例えば、腕時計型報知装置１の利用者による操作部１７の操作に基づいて停止させるが、本発明はこのような態様に限定されるものではなく、イベントの発生から所定時間が経過する等の所定条件が充足された場合に停止させてもよい。
【００３５】
（腕時計型報知装置１による報知）
腕時計型報知装置１において、イベント発生を報知する処理（報知処理）について説明する。図５は、本実施形態に係る報知処理の流れの一例を示すフロー図である。本実施形態において、腕時計型報知装置１は、外部機器からイベント通知情報Ｅvが供給されたときに、報知処理を開始させる。
【００３６】
図５に示すように、ＣＰＵ１０３は、外部機器からイベント通知情報Ｅvが供給されると、イベント通知情報Ｅvに含まれる種別情報Ｅv1の示すイベントの種類に基づいて、基準位置Ｐbを決定する。
【００３７】
具体的には、ＣＰＵ１０３は、種別情報Ｅv1の示すイベントの種類が「電話の着信」であるか否かを判定し（Ｓ１）、イベントの種類が電話の着信である場合には（Ｓ１；ＹＥＳ）、基準位置Ｐbを１２時の位置に決定する（Ｓ２）。また、ＣＰＵ１０３は、イベントの種類が電話の着信ではない場合（Ｓ１；ＮＯ）、種別情報Ｅv1の示すイベントの種類が「メールの受信」であるか否かを判定し（Ｓ３）、イベントの種類がメールの受信である場合には（Ｓ３；ＹＥＳ）、基準位置Ｐbを３時の位置に決定する（Ｓ４）。また、ＣＰＵ１０３は、イベントの種類がメールの受信ではない場合（Ｓ３；ＮＯ）、種別情報Ｅv1の示すイベントの種類が「ＳＮＳメッセージの受信」であるか否かを判定し（Ｓ５）、イベントの種類がＳＮＳメッセージの受信である場合には（Ｓ５；ＹＥＳ）、マークＭkの基準位置Ｐbを６時の位置に決定する（Ｓ６）。一方、ＣＰＵ１０３は、イベントの種類がＳＮＳメッセージの受信ではない場合には（Ｓ５；ＮＯ）、報知処理を終了させる。
【００３８】
ＣＰＵ１０３は、基準位置Ｐbの決定（Ｓ２、Ｓ４、または、Ｓ６）の後、イベント通知情報Ｅvに含まれる発生元情報Ｅv2の示すイベントの発生元の種類に基づいて、マークＭkの往復運動の速度を決定する。
【００３９】
具体的には、ＣＰＵ１０３は、発生元情報Ｅv2の示すイベントの発生元の種類が「家族」か否かを判定し（Ｓ７）、イベントの発生元の種類が家族である場合には（Ｓ７；ＹＥＳ）、往復運動の速度を３２Ｈｚに決定する（Ｓ８）。また、ＣＰＵ１０３は、イベントの発生元の種類が家族ではない場合（Ｓ７；ＮＯ）、発生元情報Ｅv2の示すイベントの発生元の種類が友人であるか否かを判定し（Ｓ９）、イベントの発生元の種類が友人である場合には（Ｓ９；ＹＥＳ）、往復運動の速度を１６Ｈｚに決定する（Ｓ１０）。一方、ＣＰＵ１０３は、イベントの発生元の種類が友人ではない場合には（Ｓ９；ＮＯ）、往復運動の速度を８Ｈｚに決定する（Ｓ１１）。
【００４０】
ＣＰＵ１０３は、マークＭkの往復運動の速度の決定（Ｓ８、Ｓ１０、または、Ｓ１１）の後、イベント通知情報Ｅvに含まれる重要度情報Ｅv3の示すイベントの重要度に基づいて、マークＭkの往復運動の範囲を決定する。
【００４１】
具体的には、ＣＰＵ１０３は、重要度情報Ｅv3の示すイベントの重要度が高いか否かを判定し（Ｓ１２）、イベントの重要度が高い場合には（Ｓ１２；ＹＥＳ）、往復運動の範囲を、基準位置Ｐbを中心とする±３０度の範囲に決定する（Ｓ１３）。また、ＣＰＵ１０３は、イベントの種類が高くない場合（Ｓ１２；ＮＯ）、重要度情報Ｅv3の示すイベントの重要度が中程度であるか否かを判定し（Ｓ１４）、イベントの重要度が中程度である場合には（Ｓ１４；ＹＥＳ）、往復運動の範囲を、基準位置Ｐbを中心とする±１５度の範囲に決定する（Ｓ１５）。一方、ＣＰＵ１０３は、イベントの種類が中程度ではない場合には（Ｓ１４；ＮＯ）、往復運動の範囲を、基準位置Ｐbを中心とする±５度の範囲に決定する（Ｓ１６）。
【００４２】
次に、ＣＰＵ１０３は、マークＭkが、ステップＳ２、Ｓ４、または、Ｓ６で決定した基準位置Ｐbを中心に、ステップＳ８、Ｓ１０、または、Ｓ１１で決定した速度で、ステップＳ１３、Ｓ１５、または、Ｓ１６で決定した範囲を往復運動するような、画像データＶdを生成することで、パネル制御回路１０６を介して表示パネル１０を制御し、イベントの発生を報知する報知動作を実行する（Ｓ１７）。
そして、ＣＰＵ１０３は、操作部１７において、腕時計型報知装置１の利用者等により報知動作を停止させる操作（停止操作）が行われたか否かを判定し（Ｓ１８）、停止操作が行われた場合には（Ｓ１８；ＹＥＳ）、報知処理を終了させる。
【００４３】
以上のように、本実施形態では、イベントの種類、イベントの発生元、及び、イベントの重要度に応じた表示の態様により、マークＭkを表示する。このため、腕時計型報知装置１の利用者は、イベントの発生を迅速に把握することができ、また、イベントの種類、発生元、重要度等のイベントの詳細を容易に把握することが可能となる。
【００４４】
［第２実施形態］
次に、本発明の第２実施形態について説明する。第２実施形態に係る腕時計型報知装置１Ａは、イベントの発生を報知する報知動作の前に、報知動作が行われることを事前に知らせる事前通知処理を行う。
【００４５】
図６は、第２実施形態に係る腕時計型報知装置１Ａの構成の一例を示すブロック図である。図６に示すように、腕時計型報知装置１Ａは、スピーカー１８を備える点を除き、第１実施形態に係る腕時計型報知装置１と同様に構成されている。
スピーカー１８は、インターフェース１４０を介してＣＰＵ１０３から供給される指示信号Ｃprに基づいて、所定の期間だけアラーム音を出力することで、報知動作が行われることを事前に知らせる。すなわち、スピーカー１８は、事前通知部に該当する。なお、本実施形態では、事前通知部として、スピーカー１８を例示しているが、事前通知部として、ＬＥＤ（light emitting diode）等のライト、または、バイブレーション装置を採用してもよい。あるいは、これらを組み合わせてもよい。
【００４６】
ＣＰＵ１０３は、イベント通知情報Ｅvを受信した場合、画像データＶdの出力を開始して報知動作を実行する前に、指示信号Ｃprを出力する。すなわち、本実施形態では、報知処理の前に前通知処理が実行される。これにより、本実施形態では、腕時計型報知装置１Ａの利用者に対して、イベントの発生をより確実に認識させることができる。
【００４７】
［第３実施形態］
第３実施形態では、複数のイベントが重なって発生した場合における処理について説明する。
【００４８】
本実施形態では、フラッシュメモリー１０２またはＲＡＭ１０１に、発生したイベントの履歴を記憶するバッファーを備えている。そして、例えば、メールの受信がイベントとして報知されたが利用者が気づかず、その後に電話の着信があったとする。この場合、腕時計型報知装置１は、メールの受信に関するイベント通知情報Ｅvをバッファーに保存し、電話の着信をイベントとして報知する。その後、利用者の操作によって、電話の着信に係る報知動作が停止されると、バッファーからメールの受信に関するイベント通知情報Ｅvを読み出し、メールの受信に係る報知動作を実行する。
【００４９】
一般的に、複数のイベントが重なって発生し、当該複数のイベントに対応する複数のイベント通知情報Ｅvがバッファーに蓄積された場合、バッファーに蓄積された複数のイベント通知情報Ｅvは、ＦＩＦＯ（First In First Out）、または、ＬＩＦＯ（Last In First Out）により取り出される。
図７は、ＦＩＦＯの動作例である。この図に示す例では、イベント[4]の発生前において、バッファーに、イベントの発生順に、イベント通知情報Ｅv[1]、Ｅv[2]、及び、Ｅv[3]が格納されている。この状態で、イベント[4]が発生すると、バッファーにはイベント通知情報Ｅv[3]の後にイベント通知情報Ｅv[4]が格納される。その後、バッファーよりイベント通知情報Ｅvを取り出す場合、最初に格納したイベント通知情報Ｅv[1]を取り出す。即ち、バッファーに格納した時間が古い順にイベント通知情報Ｅvを取り出す。
図８は、ＬＩＦＯの動作例である。この図に示す例では、イベント[4]の発生前において、バッファーに、イベントの発生順に、イベント通知情報Ｅv[1]、Ｅv[2]、及び、Ｅv[3]が格納されている。この状態で、イベント[4]が発生すると、バッファーにはイベント通知情報Ｅv[3]の後にイベント通知情報Ｅv[4]が格納される。その後、バッファーよりイベント通知情報Ｅvを取り出す場合、最後に格納したイベント通知情報Ｅv[4]を取り出す。即ち、バッファーに格納した時間が新しい順にイベント通知情報Ｅvを取り出す。
【００５０】
これに対して、本実施形態では、複数のイベントが重なって発生した場合に、イベントの種類により、イベントの報知の順番、すなわち、イベント通知情報Ｅvを取り出す順番を決定する。
通常、電話は、緊急での意思疎通に利用される場合が多く、緊急性が高いことが多い。これに対して、メールで伝達される情報は、緊急性が比較的低いことが多い。また、ＳＮＳの通知は、メールよりも更に緊急性が低い場合が多い。このため、本実施形態では、複数のイベントが重なって発生した場合、「電話の着信」→「メールの受信」→「ＳＮＳメッセージの受信」の順番で報知する。
【００５１】
図９に示すように、ＳＮＳ[1]、メール[1]、電話[1]、電話[2]、メール[2]、ＳＮＳ[2]という順で、短時間に順次イベントが発生する場合を想定する。これらのイベントが全て発生後に、利用者が報知動作の停止操作を行う場合の、腕時計型報知装置１による報知処理の順番は、以下の通りである。
まず、腕時計型報知装置１は、ＳＮＳ[1]のイベントが発生した時点において、ＳＮＳ[1]を報知する。次に、腕時計型報知装置１は、メール[1]のイベントが発生した時点において、ＳＮＳ[1]よりも優先度が高いメール[1]を報知し、ＳＮＳ[1]に係るイベント通知情報Ｅvをバッファーに格納する。次に、腕時計型報知装置１は、電話[1]のイベントが発生した時点において、電話[1]よりも優先度が低いメール[1]に係るイベント通知情報Ｅvをバッファーに格納し、電話[1]を報知する。このとき、ＳＮＳ[1]よりもメール[1]の方が優先度が高いため、ＳＮＳ[1]よりも先にメール[1]が先に報知されるようにバッファーする。次に、腕時計型報知装置１は、電話[2]のイベントが発生した時点において、電話[1]と電話[2]とはイベントの種類が同じであるため、時系列に従って、電話[1]の報知を維持する。その後、腕時計型報知装置１は、メール[2]やＳＮＳ[2]のイベントが発生した時点においても、メール[2]やＳＮＳ[2]よりも電話[1]の報知が優先されるため、電話[1]の報知が維持される。これらの結果、バッファーには、報知の優先順位が高い順に、電話[2]、メール[1]、メール[2]、ＳＮＳ[1]、ＳＮＳ[2]の順にイベント通知情報Ｅvが格納される。
そして、電話[1]の報知動作に対して利用者が停止操作を行うと、バッファーにおいて、最も優先順位の高い電話[2]が報知される。その後、メール[1]、メール[2]、ＳＮＳ[1]、ＳＮＳ[2]の順に報知される。
【００５２】
なお、本実施形態では、種別情報Ｅv1の示すイベントの種類に応じて、報知の順番（優先順位）を決定する場合を例示的に説明したが、本発明はこのような態様に限定されるものではなく、発生元情報Ｅv2の示すイベントの発生元、または、重要度情報Ｅv3の示すイベントの重要度に基づいて、報知の順番を決定してもよい。
【００５３】
[変形例]
以上の各形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００５４】
（変形例１）
上述した実施形態では、イベントの種類に対応して基準位置Ｐbを決定し、イベントの発生元の種類に対応してマークＭkの移動速度を決定し、イベントの重要度に対応してマークＭkの移動範囲を決定したが、本発明はこのような態様に限定されるものではなく、イベント通知情報Ｅvに基づいてマークＭkの表示態様が決定されるのであれば、イベント通知情報Ｅvの示すイベントの属性と、マークＭkの表示態様との対応関係は任意である。
例えば、ＣＰＵ１０３は、イベントの種類、発生元、及び、重要度のうち少なくとも一つが、マークＭkの基準位置Ｐb、移動速度、及び、移動範囲のうち少なくとも一つを用いて特定可能となるような態様で、マークＭkが表示されるように、表示パネル１０を制御すればよい。
また、例えば、種別情報Ｅv1の示すイベントの種類に応じてマークＭkの移動速度または移動範囲を定めてもよいし、発生元情報Ｅv2の示すイベントの発生元の種類に応じて基準位置ＰbまたはマークＭkの移動範囲を定めてもよいし、重要度情報Ｅv3の示すイベントの重要度に応じて基準位置ＰbまたはマークＭkの移動速度を定めてもよい。
【００５５】
（変形例２）
上述した実施形態及び変形例では、イベント通知情報Ｅvは、イベントの属性を示す、種別情報Ｅv1と発生元情報Ｅv2と重要度情報Ｅv3とを含み、画像データＶdは、マークＭkの表示態様である、マークＭkの基準位置Ｐbと移動速度と移動範囲とを示す情報であるが、本発明はこのような態様に限定されるものではなく、イベント通知情報Ｅvは、少なくともイベントの発生を示す情報を含めばよく、画像データＶdは、少なくともマークＭkを表示または非表示を指定する情報を含めばよい。
例えば、イベント通知情報Ｅvは、イベントの種類、イベントの発生元の種類、及び、イベントの重要度のうち一部を含む情報であってもよい。また、画像データＶdは、マークＭkの基準位置Ｐb、マークＭkの移動速度、及び、マークＭkの移動範囲のうち一部を指定する情報であってもよいし、これら以外の情報、例えば、マークＭkの色、マークＭkを表示する画素の階調、マークＭkの個数等を指定する情報であってもよい。
【００５６】
（変形例３）
上述した実施形態及び変形例では、停止操作がなされるまで報知動作が継続されるが、本発明はこのような態様に限定されるものではなく、報知動作の開始から停止操作までの間に、報知動作を断続的に実行し、マークＭkの表示と非表示とを繰り返してもよい。この場合、マークＭkが継続的に表示される場合と比較して、報知動作に伴う消費電力を低減させることが可能となる。
【００５７】
（変形例４）
上述した実施形態及び変形例では、報知情報として、マークＭkを例示したが、本発明はこのような態様に限定されるものではなく、報知情報は、イベントの発生を報知することができれば、どのような態様の表示であってもよい。
例えば、報知情報は、図１０に示すように、イベント通知情報Ｅvの示すイベントの属性に応じたエリアＡRを着色、発光、または点滅させる等して、表示されてもよい。この場合、エリアＡRは、例えば、イベント通知情報Ｅvに基づいて定められる基準位置Ｐbを中心に、イベント通知情報Ｅvに基づいて定められる面積を有するものであってもよい。
【００５８】
（変形例５）
上述した実施形態及び変形例では、第２表示部として、円盤状の開口１１aから視認される円盤状の表示領域において報知情報を表示する表示パネル１０を例示したが、本発明はこのような態様に限定されるものではなく、第２表示部の表示領域はどのような形状を有していてもよい。
例えば、図１１に示す、本変形例に係る腕時計型報知装置１Ｂのように、第２表示部として、矩形の開口１１bから視認される矩形の表示領域において報知情報を表示する表示パネル１０Ａを採用してもよい。
【００５９】
なお、腕時計型報知装置１、１Ａ、及び、１Ｂは、報知動作を実行しない場合に、表示領域において、気圧、標高、気温、その他の情報を測定する各種センサーの測定結果、ストップウォッチによる時間の測定結果、加速度センサーの測定結果に基づく利用者の活動量等、報知情報以外の情報を表示することができるものであってもよい。
【００６０】
（変形例６）
上述した実施形態及び変形例では、第２表示部として、表示領域を含む領域に設けられた複数の画素を有する表示パネル１０及び１０Ａを例示したが、本発明はこのような態様に限定されるものではなく、第２表示部として、例えば、複数の光源９０から構成される、発光部９を採用してもよい。ここで、各光源９０は、例えば、ＬＥＤを含んで構成されるものであってもよい。
【００６１】
図１２は、本変形例に係る腕時計型報知装置１Ｃの一例を示す平面図である。この図に示すように、腕時計型報知装置１Ｃは、表示パネル１０の代わりに、文字盤１１上において３０度毎に配置された１２個の光源９０を含む発光部９を備える以外は、腕時計型報知装置１と同様に構成されている。
腕時計型報知装置１ＣのＣＰＵ１０３は、例えば、種別情報Ｅv1の示すイベントの種類に応じた基準位置Ｐbに対応する光源９０を中心に、発生元情報Ｅv2の示すイベントの発生元の種類に応じた周期で、重要度情報Ｅv3の示すイベントの重要度に応じた範囲に存在する光源９０を順次点灯させるように発光部９を制御する。図１２に示す例では、３時の光源９０を中心に、±３０度の範囲で、３時の光源９０→２時の光源９０→３時の光源９０→４時の光源９０→３時の光源９０、という具合に、複数の光源９０を順番に点灯させる場合を例示している。このような態様によっても、発光部９により、イベントの発生を報知することが可能であり、また、利用者がイベントの属性を容易に把握することが可能である。なお、光源９０を１２個よりも多く配置することでより細かな報知を可能にすることができる。また図１２の実施例は、指針の周方向に光源９０を並べて配置したが、他の構成でもよい。例えば、３時−９時方向に横方向に並べて表示したり、１２時−６時方向に縦に並べて表示してもよい。
【００６２】
（変形例７）
上述した実施形態及び変形例では、イベントとして、外部機器における電話の着信等を例示したが、本発明はこのような態様に限定されるものではなく、腕時計型報知装置１（または、１Ａ、１Ｂ、１Ｃ）は、自機で発生したイベントを報知してもよい。
また、腕時計型報知装置は、ＩｏＴ（Internet of Things）によって、通信ネットワーク上に直接接続されてもよい。この場合、通信ネットワークを介して接続された、エアコン、冷蔵庫、防犯機器等の機器から、当該機器に関する情報を腕時計型報知装置に送信し、腕時計型報知装置において当該機器に関する情報を報知することができる。
また、例えば、腕時計型報知装置と携帯端末（スマートフォン）とをペアリングしてもよい。さらに、腕時計型報知装置にクラシックBluetooth（登録商標）の通話プロファイルやＷｉ−Ｆｉ（登録商標）のＶｏＩＰ機能を持たせ、腕時計型報知装置で通話を可能としてもよい。
【００６３】
（変形例８）
上述した実施形態及び変形例では、制御ユニット１００は、パネル制御回路１０６を備え、ＣＰＵ１０３はパネル制御回路１０６を介して表示パネル１０または１０Ａを制御するが、本発明はこのような態様に限定されるものではなく、表示パネル１０及び１０Ａがパネル制御回路１０６を含んで構成され、ＣＰＵ１０３が表示パネル１０または１０Ａを直接制御してもよい。
【００６４】
（変形例９）
第２表示部に報知情報を表示する際に、基準位置Ｐｂに、秒針を停止あるいは正逆往復運針などしてイベントの報知を行なってもよい。また、イベントの発生を報知するためのマークＭkが秒針と重なった場合でも報知表示をユーザーが見逃すことが無いよう、マークＭｋの大きさを秒針の太さよりも大きく構成した方が好ましい。そうすることでマークＭｋが秒針に重なった場合でも、ユーザーはマークＭｋの表示があることを認識できるためイベントの発生を確実に認識することが可能となる。表示手段として秒針は一番上に配置されることから、イベント発生時に秒針が正逆往復運針することで、イベントの発生を速やかに認識でき、詳細は第２表示部を見て認識できることから、ユーザーにイベントの報知が発生したことを迅速に認識させることができる報知装置が実現可能となる。
【符号の説明】
【００６５】
１…腕時計型報知装置、１０…表示パネル、１２…指針軸、１３…指針、１４…外装ケース、１６…ダイヤルリング、１７…操作部、１００…制御ユニット、１０１…ＲＡＭ、１０２…フラッシュメモリー、１０３…ＣＰＵ、１０４…発振回路、１０５…モーター制御回路、１０６…パネル制御回路、１１０…モーター、１２０…指針位置特定部、１４０…インターフェース、１５０…通信部。
【図１】
2017167054.tif 000003
【図２】
2017167054.tif 000004
【図３】
2017167054.tif 000005
【図４】
2017167054.tif 000006
【図５】
2017167054.tif 000007
【図６】
2017167054.tif 000008
【図７】
2017167054.tif 000009
【図８】
2017167054.tif 000010
【図９】
2017167054.tif 000011
【図１０】
2017167054.tif 000012
【図１１】
2017167054.tif 000013
【図１２】
2017167054.tif 000014